(57)【要約】【課題】無線通信機能を有する撮像装置において、無線通信時における他の制御部からのノイズの影響を低減する。【解決手段】撮像装置において、開口を有する筐体と、レンズ及び撮像素子を備え、筐体の内に配置されて開口から外部の被写体を撮像するカメラ部と、筐体の内に配置され、カメラ部を制御する制御基板とカメラ部の少なくとも撮像素子が実装される撮像素子基板とを接続する電気通信部材と、レンズを挟んで電気通信部材と略対称となる位置で、カメラ部の光軸方向視におけるカメラ部と前記開口の内縁との隙間に、少なくとも一部が配置される通信用アンテナと、を配する。【選択図】図７
2019184740.tif 000002
【特許請求の範囲】
【請求項１】
開口を有する筐体と、
レンズ及び撮像素子を備え、前記筐体の内に配置されて前記開口から外部の被写体を撮像するカメラ部と、
前記筐体の内に配置され、前記カメラ部を制御する制御基板と前記カメラ部の少なくとも前記撮像素子が実装される撮像素子基板とを接続する電気通信部材と、
前記レンズを挟んで前記電気通信部材と略対称となる位置で、前記カメラ部の光軸方向視における前記カメラ部と前記開口の内縁との隙間に、少なくとも一部が配置される通信用アンテナと、を備えることを特徴とする撮像装置。
【請求項２】
前記カメラ部は、光軸周りに回動可能であり、
前記筐体は、前記制御基板が固定され、前記カメラ部が前記光軸周りに回動可能に設置される第１の筐体と、
前記カメラ部を覆うように前記第１の筐体に固定され、前記開口が設けられる第２の筐体と、を備えることを特徴とする請求項１に記載の撮像装置。
【請求項３】
前記電気通信部材は、前記制御基板に接続される固定端部と、前記撮像素子基板に接続される遊端部と、を備える可撓性の部材からなることを特徴とする請求項１又は２に記載の撮像装置。
【請求項４】
前記可撓性の部材はフレキシブルプリント基板又は細線同軸ケーブルからなることを特徴とする請求項３に記載の撮像装置。
【請求項５】
前記電気通信部材は、前記カメラ部の光軸周りに円弧状に配置される可撓部を備えることを特徴とする請求項１乃至４の何れか１項に記載の撮像装置。
【請求項６】
前記カメラ部の鏡筒を回動可能に支持するベース部材を更に備え、
前記ベース部材は前記可撓部をガイドするリブを備えることを特徴とする請求項５に記載の撮像装置。
【請求項７】
前記通信用アンテナが配置される通信用基板を更に備え、
前記通信用基板は、前記筐体の内において前記レンズを挟んで前記電気通信部材と略対称となる位置に配置されることを特徴とする請求項１乃至６の何れか１項に記載の撮像装置。
【請求項８】
前記制御基板が配置される平面から前記カメラ部の光軸方向にずれた平面を規定する突出部を更に備え、
前記通信用基板及び前記通信用アンテナは前記突出部に固定されることを特徴とする請求項７に記載の撮像装置。
【請求項９】
前記通信用基板のグランド部は、前記筐体及び前記撮像素子基板の各々に電気的に接続されることを特徴とする請求項７又は８に記載の撮像装置。
【請求項１０】
前記開口は、前記通信用アンテナより送信される電波の半波長以上の開口径を有する円形状であることを特徴とする請求項１乃至９の何れか１項に記載の撮像装置。
【請求項１１】
前記開口は、透光性のカバー部材にて覆われることを特徴とする請求項１乃至１０の何れか１項に記載の撮像装置。
【発明の詳細な説明】
【技術分野】
【０００１】
本発明は撮像装置に関し、詳細には無線通信機能を有する撮像装置に関する。
【背景技術】
【０００２】
撮像装置には、撮影された映像を、機器の配線を伴う有線通信機能ではなく無線通信機能によって簡易に画像閲覧用の媒体に転送するものがある。そのような撮像装置は、撮像に関する構成の制御を行うメイン基板と、画像等のデータを無線通信するための無線通信基板とを備えている。
【０００３】
無線通信用のアンテナを備えた撮像装置として、例えば特許文献１に記載の無線通信機能を有するカメラがある。特許文献１の記載によれば、このカメラでは、金属カバー内に、無線通信回路と接地型のアンテナとが実装された無線通信基板を配置し、金属カバーを介してアンテナの接地を図っている。この金属カバーの所定面には、アンテナ突出用の開口が形成されている。そして、液晶モニタ、閃光装置発光部等の制御を行うメイン基板は、コネクタを介して無線通信回路と電気的に接続されている。
【先行技術文献】
【特許文献】
【０００４】
【特許文献１】特開２００７−６０２３７号公報
【発明の概要】
【発明が解決しようとする課題】
【０００５】
特許文献１に例示される従来構成では、金属カバー内のスペースの制約等から無線通信アンテナはメイン基板と隣接して配置されている。このため、例えば閃光装置発光部を作動させる際に発するノイズ等は、無線通信アンテナに伝わってデータの通信に影響を及ぼす可能性がある。
【０００６】
本発明はこのような状況に鑑みたものであって、無線通信時における他の制御部からのノイズの影響を低減した撮像装置の提供を目的とする。
【課題を解決するための手段】
【０００７】
上記の課題を鑑みて、本発明の一態様にかかる撮像装置は、
開口を有する筐体と、
レンズ及び撮像素子を備え、前記筐体の内に配置されて前記開口から外部の被写体を撮像するカメラ部と、
前記筐体の内に配置され、前記カメラ部を制御する制御基板と前記カメラ部の少なくとも前記撮像素子が実装される撮像素子基板とを接続する電気通信部材と、
前記レンズを挟んで前記電気通信部材と略対称となる位置で、前記カメラ部の光軸方向視における前記カメラ部と前記開口の内縁との隙間に、少なくとも一部が配置される通信用アンテナと、を備えることを特徴とする。
【発明の効果】
【０００８】
本発明によれば、無線通信時における他の制御部からのノイズの影響を低減した撮像装置を提供できる。
【図面の簡単な説明】
【０００９】
【図１】本発明の一実施形態にかかる撮像装置の外観斜視図
【図２】本発明の一実施形態にかかる撮像装置の分解斜視図
【図３】本発明の一実施形態にかかる撮像装置のカメラ部の分解斜視図
【図４】本発明の一実施形態にかかる撮像装置のカメラ部の斜視図
【図５】本発明の一実施形態にかかる撮像装置の無線通信部の斜視図
【図６】本発明の一実施形態にかかる撮像装置の下側筐体ユニットの斜視図
【図７】本発明の一実施形態にかかる撮像装置のカメラ部が回転した場合の上側筐体ユニットを除く撮像装置の上面図
【図８】本発明の一実施形態にかかる撮像装置の断面図
【図９】本発明の一実施形態にかかる撮像装置の上側筐体ユニットの分解斜視図
【図１０】本発明の一実施形態にかかる撮像装置のカメラ部以外の非金属部品を除いた場合の撮像装置の上面図
【発明を実施するための形態】
【００１０】
以下、本発明を実施するための例示的な実施形態について、添付図面を参照して詳細に説明する。ただし、以下の実施形態で説明される寸法、材料、及び構成要素の相対的な位置等は任意であり、本発明が適用される装置の構成又は様々な条件に応じて変更できる。また、同一であるか又は機能的に類似している要素を示す場合は、図面間で同じ参照符号を用いる。
【００１１】
まず、図１及び図２を参照して、本発明の一実施形態にかかる撮像装置の全体構成について説明する。なお、図１はこの撮像装置の外観斜視図であり、図２は分解斜視図である。本発明の一実施形態にかかる撮像装置１００は、下側筐体ユニット４００と上側筐体ユニット５００とを組み付けて構成されており、不図示の設置用部品を介して建物の天井や壁面に設置される。下側筐体ユニット４００には、後述するカメラ部２００と無線通信部３００とが組み付けられる。これら下側筐体ユニット４００に組み付けられた構成については、以下で詳述する。
【００１２】
図３及び図４を参照して、前述したカメラ部２００の構成を説明する。なお、図３はカメラ部２００の分解斜視図であり、図４はカメラ部２００単体の斜視図である。撮影光学系を含むカメラ部２００は、被写体を撮影して映像信号を生成する。カメラ部２００は、鏡筒部２１０、ホルダー部材２２０、鏡筒部カバー部材２３０、第１の電気通信部材２４０、及び第２の電気通信部材２５０を備える。ホルダー部材２２０は、鏡筒部２１０を固定、支持する。鏡筒部カバー部材２３０は、鏡筒部２１０を覆うようにホルダー部材２２０に固定される。
【００１３】
鏡筒部２１０は、不図示の複数の固定レンズを含み、電動制御の絞りユニット（不図示）、撮像素子２１１、撮像素子基板２１２、撮像素子基板保持部材２１３等を備える。撮像素子２１１には、ＣＭＯＳセンサー等が用いられる。撮像素子基板２１２には撮像素子２１１が実装され、撮像素子基板２１２は撮像素子基板保持部材２１３に固定される。なお、図３において、複数の固定レンズ、絞りユニット、撮像素子基板２１２、及び撮像素子基板保持部材２１３の鏡筒部２１０への組み付け方法については、一部を図示していない。また、本実施形態において、鏡筒部２１０は固定レンズのみを含むこととしているが、含まれるレンズの種類はこれに限るものではない。例えば、ズーム調整やフォーカス調整を行う可動レンズ或いは可動レンズ群を含んでもよい。
【００１４】
ホルダー部材２２０は、上述した鏡筒部２１０を固定するボスを形成した略円筒形状の部材であり、鏡筒部２１０を保持する。このホルダー部材２２０は、更に複数の摺動面２２１ａ，２２１ｂ、及び間隙２２１ｃを備えるように形成されたフランジ部２２１を備える。また、略円筒形状における鏡筒部２１０側の端面には、円筒外径側に突出し、底面にＳＲ凸形状部２２２ａを備える複数のボス２２２が設けられる。なお、本実施形態においては、複数のボス２２２の底面にはＳＲ凸形状部が形成されているが、ボス２２２の底面形状はこれに限られず例えば凸形状を有さない面でもよい。
【００１５】
鏡筒部カバー部材２３０は、鏡筒部２１０とホルダー部材２２０とが挿通され、鏡筒部２１０の前玉レンズを露出する為の開口を備えた略円筒形状の部材である。鏡筒部カバー部材２３０は外径側に突出したフランジ部２３１を有し、このフランジ部２３１にはクランプ形状部２３１ａ，２３１ｂ及びボスピン２３１ｃが形成される。
【００１６】
第１の電気通信部材２４０は、鏡筒部２１０の電動制御のための信号、例えば絞りユニット等の制御のための電気信号を伝送する。本実施形態において、第１の電気通信部材２４０は、例えばＦＰＣ（フレキシブルプリント基板）として構成される。この第１の電気通信部材２４０は、不図示の遊端部、固定端部２４１、及び舌辺部２４２を備える。遊端部は、電動制御の絞りユニット等に固定接続される。また、舌辺部２４２は複数存在し、遊端部から固定端部２４１の間においてこれら部分の基板幅（フレキシブルプリント基板の幅）よりも突出するように形成される。
【００１７】
第１の電気通信部材２４０は、鏡筒部２１０とホルダー部材２２０、鏡筒部カバー部材２３０の外径側に突出するように絞りユニット等に固定接続されて組み付けられる。その後、第１の電気通信部材２４０は、鏡筒部カバー部材２３０のフランジ部２３１に沿うように這い回され、舌辺部２４２が鏡筒部カバー部材２３０のクランプ形状部２３１ａにクランプされる。このように組み付けられることで、第１の電気通信部材２４０は、その幅方向と鏡筒部カバー部材２３０の軸方向とが略一致するように折り曲げられる。
【００１８】
第２の電気通信部材２５０は、撮像素子２１１が取得した映像信号を伝送する。本実施形態において、第２の電気通信部材２５０は、例えばＦＰＣ（フレキシブルプリント基板）として構成される。この第２の電気通信部材２５０は、遊端部２５１、固定端部２５２及び複数の舌辺部２５３ａ，２５３ｂを備える。舌辺部２５３ａ，２５３ｂは、遊端部２５１から固定端部２５２の間においてこれら部分の基板幅（フレキシブルプリント基板の幅）よりも突出するように形成される。舌辺部２５３ｂには、係合孔２５３ｃが形成されている。
【００１９】
第２の電気通信部材２５０は、撮像素子基板２１２に実装された不図示のコネクタに遊端部２５１が接続され、まず、ホルダー部材２２０の内面に沿うように這いまわされる。その後、鏡筒部２１０とホルダー部材２２０、及び鏡筒部カバー部材２３０の外径側に突き出され、鏡筒部カバー部材２３０のフランジ部２３１に沿うように組み付けられる。舌辺部２５３ｂは鏡筒部カバー部材２３０のクランプ形状部２３１ｂにクランプされ、係合孔２５３ｃが鏡筒部カバー部材２３０のボスピン２３１ｃと係合する。このように組み付けられることで、第２の電気通信部材２５０は、その幅方向と鏡筒部カバー部材２３０の軸方向とが略一致するように折り曲げられる。
【００２０】
次に、図５を参照して、無線通信部３００について説明する。無線通信部３００は、通信用アンテナ３１０、通信用基板３２０、無線通信部保持部材３３０を備える。通信用アンテナ３１０は、無線電波を放射するために用いられる。通信用基板３２０には通信用アンテナ３１０が実装され、無線通信部保持部材３３０は通信用基板３２０を保持する。
【００２１】
通信用アンテナ３１０は、給電点３１１と主アンテナ範囲３１２とから構成され、使用無線帯域に合わせたアンテナ長を有する。通信用基板３２０は、不図示のフレキシブルプリント基板等により、他の電気基板と電気的に接続される。無線通信部保持部材３３０は板金部材であり、平面部３３１と該平面部３３１から延出した曲げ部３３２とを備える。なお、本実施形態において、無線通信部保持部材３３０は板金部材であるが、その態様はこれに限るものではない。例えば、金属製の成形部材より構成し、これに平面部及び曲げ部を設けてもよい。
【００２２】
通信用基板３２０は、不図示のビスにより無線通信部保持部材３３０に固定される。その際、通信用アンテナ３１０は、給電点３１１の直下に無線通信部保持部材３３０の平面部３３１が位置するように配置される。また、主アンテナ範囲３１２は、その直下に無線通信部保持部材３３０の平面部３３１が位置しないように、配置される。無線通信部保持部材３３０の曲げ部３３２は、その先端（曲げ部先端３３２ａ）が電気グランドに接続される。この曲げ部３３２は、無線通信部３００の構成状態で、通信用アンテナ３１０の給電点３１１から曲げ部先端３３２ａの電気グランド接続点までの長さが、無線電波長の４分の１より大きくなるような曲げ長さで形成されている。
【００２３】
次に、図６を参照して、下側筐体ユニット４００について説明する。下側筐体ユニット４００は、下側筐体４１０、制御基板４２０、ベース部材４３０、ガイド部材４４０、間接付勢部材４５０（図２参照）、及び付勢部材４６０（図２参照）を備える。この下側筐体ユニット４００には、上述したようにカメラ部２００と無線通信部３００とが組み付けられる。
【００２４】
下側筐体４１０は、電磁遮蔽性部材、例えばアルミやマグネシウム等の金属製の成形部材からなる略円筒形状の部品として構成される。この円筒形状において、上側筐体ユニット５００側の面は開放されており、側面もしくは底面には装置外部からの電源や通信用のケーブルを通過させる為の小径開口が形成される。底面内側には、上述した無線通信部保持部材３３０の曲げ部先端３３２ａを電気グランドに接続させる為のボス４１１を含む、各種部品を取り付ける為の複数のボスが形成される。
【００２５】
制御基板４２０は、映像処理部、装置の各種システムの制御部、及び電源回路部を有し、下側筐体４１０に不図示のビス等の締結部材で固定される。また、この制御基板４２０のグランド部は、この締結部材によって下側筐体４１０に電気的に接続される。制御基板４２０は、例えば、取得した映像信号に対して圧縮符号化処理を施し、装置外部の各種制御装置へ配信するためのデータを生成する。なお、本実施形態における制御基板４２０は、１枚の基板で構成されているものとするが、これに限るものではない。例えば、２枚以上の基板で制御基板４２０を構成するようにしてもよい。
【００２６】
ベース部材４３０は、制御基板４２０を覆うように、下側筐体４１０に不図示のビスで固定される、平面状の部材である。ベース部材４３０の略中央には、先端に複数の係止部４３１ａを備える円筒部４３１が形成されており、円筒部４３１の周囲には複数のリブ４３１ｂ及び嵌合孔４３１ｃが形成されている。また、円筒部４３１の軸方向視で円筒部４３１の外側に、第１の延出部４３２と第２の延出部４３３とが、円筒部４３１を挟んで略対向するように形成されている。この第１の延出部４３２は、下側筐体４１０に固定される制御基板４２０が延在する平面に対して、カメラ部２００の光軸方向にずれて平行な平面を規定する。後述するように通信用アンテナ３１０及び通信用基板３２０は、この第１の延出部４３２が突出部として規定する平面上に固定される。
【００２７】
第１の延出部４３２の高さは、無線通信部保持部材３３０の曲げ部３３２の高さよりも高くなるように設定される。第２の延出部４３３は、円筒部４３１と同心円を構成する側面４３３ａを備える。また、第１の延出部４３２の根本の平面部には、下側筐体４１０のボス４１１を挿通させる為の開口４３４が形成される。更に、第２の延出部４３３の根本の平面部には、リブ４３５が設けられ、該リブ４３５の上面には円筒部４３１の同心円の一部を構成するリブ４３７，４３８が形成される。
【００２８】
ガイド部材４４０は、側面４４０ａがベース部材４３０の側面４３３ａと略一致するような円弧状の側面を備えた箱形状を有する。ガイド部材４４０の上面には、円筒部４３１の同心円の一部を構成するリブ４４１とリブ４４２が、各々ベース部材４３０のリブ４３７とリブ４３８と略一致するように形成されている。また、ガイド部材４４０には、ベース部材４３０のリブ４３５と内径嵌合する円筒部４４３が形成されている。このガイド部材４４０は、ベース部材４３０の円筒部４４３にベース部材４３０のリブ４３５が嵌合した状態で、不図示のビス、もしくはスナップフィット結合等の公知の締結手段によって組み付けられる。
【００２９】
次に、図２、図６、図７及び図８を参照して、下側筐体ユニット４００に対するカメラ部２００と無線通信部３００の組み付けについて説明する。カメラ部２００は、間接付勢部材４５０と付勢部材４６０を介して、下側筐体ユニット４００に対して該カメラ部２００の光軸周りに回動自在（可能）に組み付けられる。
【００３０】
間接付勢部材４５０は、複数の舌辺部４５１が設けられて軸部４５２が加締め固定されたリング状の板金部材からなる。付勢部材４６０（例えば、圧縮コイルスプリング）は、ベース部材４３０の円筒部４３１の周囲に設けられたリブ部４３１ｂに対して圧入して組み付けられる。間接付勢部材４５０は、付勢部材４６０が間接付勢部材４５０の舌辺部４５１と当接するように、軸部４５２をベース部材４３０の嵌合孔４３１ｃに挿入することで、下側筐体ユニット４００に組み付けられる。
【００３１】
カメラ部２００の組み付けに際して、ホルダー部材２２０のボス２２２のＳＲ凸形状部２２２ａを間接付勢部材４５０の平面部に当接させる。その際、ホルダー部材２２０のフランジ部２２１の間隙２２１ｃと、ベース部材４３０の円筒部４３１先端の係止部４３１ａとの位相が一致する回転位相とする。そして、円筒部４３１の内周面に対してホルダー部材２２０の摺動面２２１ｂが摺動するように、該ホルダー部材２２０を円筒部４３１に挿入する。挿入後、ベース部材４３０の係止部４３１ａの底面とホルダー部材２２０の摺動面２２１ａとが摺動する位相までカメラ部２００を回転させる。これにより、カメラ部２００は、その鏡筒部２１０がベース部材４３０によって回動可能に支持される。
【００３２】
第１の電気通信部材２４０は、鏡筒部カバー部材２３０のクランプ形状部２３１ａから延出した部分が存在する。この部分は、ベース部材４３０のリブ４３７とガイド部材４４０のリブ４４１、ベース部材４３０のリブ４３８とガイド部材４４０のリブ４４２で挟まれた空間に導かれる。そして、カメラ部２００の回動方向に沿って、折り曲げ部２４３を形成するように折り曲げて配置される。第１の電気通信部材２４０における固定端部２４１は、制御基板４２０の不図示のコネクタに接続される。これにより、鏡筒部２１０を電気制御する各構成のグランド部も、制御基板４２０のグランド部に接続される。
【００３３】
第２の電気通信部材２５０は、鏡筒部カバー部材２３０のクランプ形状部２３１ｂから延出した部分が存在する。この部分は、ベース部材４３０の円筒部４３１の外周側面とガイド部４４０の側面４４０ａとで挟まれた空間に導かれる。そして、カメラ部２００の回動方向に沿って、折り曲げ部２５４を形成するように、折り曲げて配置される。第２の電気通信部材２５０の固定端部２５２は、制御基板４２０の不図示のコネクタに接続される。これにより、撮像素子２１１等の制御する各構成のグランド部も、制御基板４２０のグランド部に接続される。
【００３４】
このように構成することで、カメラ部２００と下側筐体ユニット４００を電気的に接続した状態であっても、カメラ部２００を下側筐体ユニット４００に対して回動自在とすることができる。なお、本実施例では、カメラ部２００の回動に対しては、必要以上に回動しないようにこの回動駆動の端部を規定する不図示の部材（駆動端部材）が、下側筐体ユニット４００に設けられている。また、第１の電気通信部材２４０及び第２の電気通信部材２５０の長さも、この駆動端部材に併せて設定されている。具体的には、折り曲げ部２４３，２５４は、カメラ部２００が駆動端部材まで回動した場合に、それぞれが鏡筒部カバー部材２３０のクランプ形状部２３１ａ，２３１ｂを、固定端部２４１，２５２側へ超えないように長さや曲げ位置が設定される。
【００３５】
無線通信部３００は、通信用アンテナ３１０がベース部材４３０の円筒部４３１の方向を向くように配置されることが望ましい。よってこの向きとなるように、ベース部材４３０の第１の延出部４３２の上面に無線通信部保持部材３３０の平面部３３１を載置し、この状態で無線通信部３００はベース部材４３０に不図示のビスで固定される。また、無線通信部保持部材３３０の曲げ部先端３３２ａは、下側筐体４１０のボス４１１に不図示のビスで固定される。これにより、通信用アンテナ３１０の給電点３１１が装置の電気グランドに接続される。
【００３６】
カメラ部２００は、例えば撮像装置１００の設置後に画角調整等のために上述した回動操作がなされる。この場合、例えばカメラ部２００は、回動方向の正方向の端部位置（図７ａ）、負方向の端部位置（図７ｃ）、及びこれらの間の回動位置（例えば、中間位置（図７ｂ））の位置を取りえる。
【００３７】
図７に示すように、本実施例によれば、カメラ部２００の回動軸方向視で、両電気通信部材２４０，２５０各々の折り曲げ部２４３，２５４は、鏡筒部２１０を挟んで通信用アンテナ３１０と略対向する配置となる。従って、第１の電気通信部材２４０及び第２の電気通信部材２５０と通信用アンテナ３１０とを十分に離間させることが可能となる。その結果、無線通信部３００に及ぼす第１の電気通信部材２４０と第２の電気通信部材２５０のノイズ等の影響を軽減することが可能となる。また、無線通信部３００がベース部材４３０の第１の延出部４３２に固定されている為、制御基板４２０と通信用アンテナ３１０とを十分に離間させることが可能となる。その結果、無線通信部３００に及ぼす制御基板４２０のノイズ等の影響も軽減することが可能となる。
【００３８】
図９及び図１０を参照して、上側筐体ユニット５００の構成について説明する。なお、上側筐体ユニット５００の構造を理解容易とするために、上下を逆にして示している。上側筐体ユニット５００は、上側筐体５１０、ドームカバー５２０、及び保持部材５３０を備える。上側筐体５１０は、電磁遮蔽性部材、例えばアルミやマグネシウム等の金属製の成形部材からなる略円筒形状部品である。下側筐体ユニット４００に向かう円筒形状の下面は開放されており、上面には導光用の円形の開口５１１が設けられており、カメラ部２００が取り付けられた下側筐体４１０に対して該カメラ部２００を覆うように固定されている。上側筐体５１０の開口５１１の内径は、無線通信部３００の無線電波長の半波長よりも大きく設定されている。また、この内径は、上側筐体ユニット５００と下側筐体ユニット４００の組み付け状態で、カメラ部２００の回動軸方向視において、無線通信部３００の通信用アンテナ３１０の一部が視認できるように設定されている。
【００３９】
ドームカバー５２０は透明、または半透明の樹脂部材等の非電磁遮蔽性の材料で形成される。ドームカバー５２０は、球状曲面の凸部５２１及びフランジ部５２２を備える。保持部材５３０はリング状の部材であり、例えば板金等で形成され、内径側に切欠き５３１を備える。切欠き５３１は、上側筐体ユニット５００と下側筐体ユニット４００の組み付け状態で、カメラ部２００の回動軸方向視において、無線通信部３００の通信用アンテナ３１０が視認可能なようにその配置及び大きさが定められている。保持部材５３０は、上側筐体５１０との間でドームカバー５２０を狭持し、上側筐体５１０に対して不図示のビス等の締結部材で固定される。
【００４０】
このように構成することで、無線通信部３００の通信用アンテナ３１０を下側筐体ユニット４００、及び上側筐体ユニット５００の外形から突出させることなく、無線電波を外部に放射することが可能となる。従って、例えば特許文献１に例示された従来構成のように金属製の外装筐体から無線通信用のアンテナを突出させる形態とせずとも、カメラ部２００の周囲に設けられた開口５１１との隙間により十分な無線通信機能も確保できる。よって、本実施形態にかかる撮像装置によれば、無線通信時における他の制御部からのノイズの影響を低減できるだけでなく、併せて、無線通信機能を持たせるためのアンテナ専用の外装カバーも不要とできる。よって、アンテナの配置を考慮せずに装置内部の構成の配置の好適化を図ることができ、所望の無線通信機能を得るための機器の大型化や部品点数の増加を防止できる。
【００４１】
以上に述べたように、本発明の一実施形態にかかる撮像装置は、開口５１１を有する筐体（４１０，５１０）と、カメラ部２００と、電気通信部材（２４０，２５０）と、通信用アンテナ３１０と、を備える。筐体は電磁遮蔽性を有しており、本実施形態では上側筐体５１０と下側筐体４１０とに分離しているが、該筐体の内に収容される各構成要素を収容可能であれば、単体から構成しても更なる数の構成に分離してもよい。また、本実施形態では、筐体の素材として金属材料を用いているが、耐候性、加工性、コスト等の観点から樹脂等の公知の他の素材を用いて該筐体を構成してもよい。本実施形態の如く上下に分離した場合、下側筐体４１０には制御基板４２０が固定され、カメラ部２００が該カメラ部２００の光軸周りに回動可能に設置されるとよい。また、この場合、上側筐体５１０は、カメラ部２００を覆うように下側筐体４１０に固定され、開口５１１が設けられるとよい。また、この開口５１１は、レンズ等のカメラ部２００の保護の観点と電波の送信の観点とから、透光性を有し且つ電磁遮蔽性を有さないカバー部材（５２０）にて覆われるとよい。なお、以上の説明において、分割された筐体各々を上側及び下側として区別しているが、この上下は便宜上の区別であって特定の配置を意図するものではない。従って、これら構成は、各々第１の筐体及び第２の筐体として把握されることが望ましい。
【００４２】
また、本実施形態において、カメラ部２００はレンズ（単体或いは複数）と撮像素子２１１を備え、該カメラ部２００の光軸周りに回動可能となるように下側筐体４１０に配置されて、開口５１１から外部の被写体を撮像する。また、電気通信部材として、第１の電気通信部材２４０及び第２の電気通信部材２５０が本実施形態では例示されている。しかし、電気通信部材はこれらに限定されず、カメラ部２００を制御する制御基板４２０とカメラ部２００の撮像素子２１１を接続する電気通信部材を少なくとも含む種々の電気通信部材が含まれえる。なお、本実施形態においてカメラ部２００は光軸周りに回動可能としているが、組み付け時の自由度、使用目的等に応じて、回動しない構成とすることもできる。
【００４３】
また、本実施形態において、通信用アンテナ３１０は、下側筐体４１０内において、カメラ部２００に含まれるレンズを挟んで電気通信部材（２４０，２５０）と略対称となる位置に配置される。これにより、上述したように、無線通信時における他の制御部からのノイズの影響を低減できる。なお、本実施形態において、カメラ部２００はその光軸を中心として回動可能とされるため、厳密な意味で通信用アンテナ３１０と電気通信部材（２４０，２５０）とを対称に配置しても、回動によってその位置からはずれて用いられる場合が想定される。従って、通信用アンテナ３１０と電気通信部材（２４０，２５０）との位置関係は、カメラ部２００の回動範囲を考慮して、厳密な対称位置を中心としてこの回動範囲を考慮した範囲を含むように略対称として把握されることが好ましい。また、該通信用アンテナ３１０は、少なくともその一部が、カメラ部２００の光軸方向視におけるカメラ部２００と開口５１１の内縁との隙間に配置される。通信用アンテナ３１０をこのように配置することにより、電磁遮蔽性の部材が存在しない領域であって且つレンズ等を保護する非電磁遮蔽性の部材が配された領域から通信を行うことが可能となる。
【００４４】
本実施形態において、電気通信部材（２４０，２５０）は可撓性を有する部材として、フレキシブルプリント基板又は細線同軸ケーブルより構成される。電気通信部材の一例である第２の電気通信部材２５０は、例えば制御基板４２０に接続される固定端部２５２と、撮像素子基板２１２を介して撮像素子２１１に接続される遊端部２５１とを有する。
【００４５】
また、電気通信部材（２４０，２５０）は、全てが可撓性を有さなくともよい。例えば、カメラ部２００の回動軸或いは光軸周りに円弧状に配置される領域に関してのみ、可撓性を有する可撓部としてもよい。また、カメラ部２００は、ベース部材４３０によってその鏡筒（鏡筒部２１０）が回動可能に支持されている。このベース部材４３０は、可撓部もしくは電気通信部材（２４０，２５０）において撓められている部分等をガイドするリブ（４３７，４３８）を有するとよい。このようなリブ（４３７，４３８）を配することにより他の部材の可撓部への干渉を抑制すると共に該可撓部の滑らかな動作を補助することができる。
【００４６】
また、本実施形態にかかる撮像装置は、上述した通信用アンテナ３１０が実装される通信用基板３２０を備えている。この通信用基板３２０も、通信用アンテナ３１０と同様に、下側筐体４１０内において、カメラ部２００に含まれるレンズを挟んで電気通信部材（２４０，２５０）と略対称となる位置に配置されるとよい。これにより、無線通信時における他の制御部からのノイズの影響は更に低減できる。上述したベース部材４３０は、本実施形態で突出部（４３２）を備えており、該突出部（４３２）は、制御基板４２０が配置される平面からカメラ部２００の光軸方向にずれた平面を規定する。通信用基板３２０及び通信用アンテナ３１０はこの突出部（４３２）に固定される。これにより、通信用の各部材は筐体（４００，５００）内において光軸方向視のみならず、光軸方向においても十分に制御基板４２０と隔離されることとなり、無線通信時における他の制御部からのノイズの影響を更に低減できる。
【００４７】
上述したように、通信用基板３２０のグランド部は、無線通信部保持部材３３０の曲げ部先端３３２ａは、不図示のビス等によって下側筐体４１０のボス４１１に固定されている。これにより通信用アンテナ３１０の給電点３１１は、通信用基板３２０のグランド部として、撮像装置の電気グランド、即ち下側筐体４１０に電気的に接続される。下側筐体４１０には制御基板４２０を介して撮像素子基板２１２のグランド部も電気的に接続されており、これにより、通信用基板３２０のグランド部は筐体（４００，５００）及び撮像素子基板２１２の各々と電気的に接続される。
【００４８】
また、上述したように、開口５１１は、通信用アンテナ３１０より送信される電波の半波長以上の開口径を有する円形状であるとよい。開口５１１をこのように構成することにより、より望ましい通信機能を確保することができる。また、同様の理由から、通信用アンテナ３１０上の点から開口５１１までを結ぶ領域についても、考慮されることが望ましい。即ち、当該領域のうち、電磁遮蔽性を有する部材を含まない領域において、カメラ部２００の光軸方向と直交する断面の少なくとも一部は、通信用アンテナ３１０より送信される電波の半波長以上の長さとするとよい。
【００４９】
以上、本発明をその好適な実施形態を参照して詳述したが，本発明はこれら特定の実施形態に限られるものではない。本発明の要旨を逸脱しない範囲で変更された発明、及び本発明と均等な発明等の様々な形態も本発明に含まれる。また、上述した実施形態は、その趣旨に反しない範囲で一部を適宜組み合わせてもよい
【符号の説明】
【００５０】
２００‥‥カメラ部
２１０‥‥鏡筒部
２４０‥‥第１の電気通信部材
２５０‥‥第２の電気通信部材
３１０‥‥通信用アンテナ
３２０‥‥通信用基板
３３０‥‥無線通信部保持部材
４１０‥‥下側筐体
４２０‥‥制御基板
４３０‥‥ベース部材
４３２‥‥第１の延出部
５１０‥‥上側筐体
５１１‥‥開口
【図１】
2019184740.tif 000003
【図２】
2019184740.tif 000004
【図３】
2019184740.tif 000005
【図４】
2019184740.tif 000006
【図５】
2019184740.tif 000007
【図６】
2019184740.tif 000008
【図７】
2019184740.tif 000009
【図８】
2019184740.tif 000010
【図９】
2019184740.tif 000011
【図１０】
2019184740.tif 000012